(57)【要約】【課題】複数の表示パネルを重ね合わせて構成された表示装置において、視差による表示不良の更なる抑制を図る。【解決手段】本開示の表示装置は画像処理部を含み、画像処理部は、入力画像データに対して第１のローパス・フィルタ処理を行う第１のフィルタ回路を含み、第１のフィルタ回路は、入力画像データの入力階調が第１の階調未満である場合には、入力階調が第１の階調以上の場合と比較して、第１のローパス・フィルタ処理の度合いを小さくする。【選択図】図１
2020086380.tif 000002
【特許請求の範囲】
【請求項１】
複数の表示パネルが重ね合わせて配置され、それぞれの前記表示パネルに画像を表示する表示装置であって、
第１の画像を表示する第１の表示パネルと、
前記第１の表示パネルの背面側に配置され、第２の画像を表示する第２の表示パネルと、
入力画像データを取得し、前記入力画像データに基づいて、前記第１の画像に対応する第１の画像データと、前記第２の画像に対応する第２の画像データと、を生成する画像処理部と、を含み、
前記画像処理部は、
前記入力画像データに対して第１のローパス・フィルタ処理を行う第１のフィルタ回路を含み、
前記第１のフィルタ回路は、前記入力画像データの入力階調が第１の階調未満である場合には、前記入力階調が前記第１の階調以上の場合と比較して、前記第１のローパス・フィルタ処理の度合いを小さくする、
表示装置。
【請求項２】
ガンマ値２．２の特性から、前記第２の表示パネルのガンマ特性が外れる変曲点における前記入力階調を変曲点階調とし、
前記第１の階調が、前記変曲点階調の０．５倍から１．５倍までの範囲に含まれる、
請求項１に記載の表示装置。
【請求項３】
前記第１のフィルタ回路は、
前記入力画像データに前記第１のローパス・フィルタ処理を行うローパス・フィルタと、
前記第１のローパス・フィルタ処理が施された画像データの階調と、前記入力画像データの前記入力階調と、を用いてゲインを決定するゲイン決定回路と、
前記入力画像データに非線形ゲイン処理を行う非線形ゲイン回路と、
を含み、
前記非線形ゲイン回路は、
前記入力画像データの前記入力階調が前記第１の階調以上である場合には、前記ゲイン決定回路により決定された前記ゲインに応じて出力階調値を決定し、
前記入力画像データの前記入力階調が前記第１の階調未満である場合には、前記ゲイン決定回路により決定された前記ゲイン以下のゲインを用いて前記出力階調値を決定する、
請求項１に記載の表示装置。
【請求項４】
前記非線形ゲイン回路は、
前記入力画像データの前記入力階調が前記第１の階調未満である場合には、前記ゲインを１として前記出力階調値を決定する、
請求項３に記載の表示装置。
【請求項５】
前記ローパス・フィルタの前段に配置され、前記入力画像データに対して、画像サイズを縮小する縮小回路と、
前記ローパス・フィルタの後段に配置され、前記第１のローパス・フィルタ処理が施された前記画像データに対して、画像サイズを拡大する拡大回路と、を更に含み、
前記縮小回路は、前記画像サイズを縮小するに際して、所定の領域内における前記入力階調の最大値を選択する、
請求項３に記載の表示装置。
【請求項６】
前記ローパス・フィルタの前段に配置された最大値フィルタを更に含み、
前記最大値フィルタは、前記入力画像データにおいて、注目画素を中心とする所定の画素領域内における輝度の最大値を、前記注目画素の輝度に設定する
請求項３に記載の表示装置。
【請求項７】
前記画像処理部は、
前記第１のフィルタ回路の後段において、前記非線形ゲイン処理が行われた前記入力画像データに対して第２のフィルタ処理を行う第２のフィルタ回路を含み、
前記第２のフィルタ回路による前記第２のフィルタ処理の適用サイズは、前記第１のフィルタ回路による前記第１のローパス・フィルタ処理の適用サイズよりも小さい、
請求項３に記載の表示装置。
【請求項８】
前記第１のフィルタ回路は、
前記入力画像データに前記第１のローパス・フィルタ処理を行うローパス・フィルタと、
前記第１のローパス・フィルタ処理が施された画像データと、前記入力画像データと、のブレンド比率を決定する比率決定回路と、
前記比率決定回路により決定された前記ブレンド比率に応じて、前記入力画像データと、前記第１のローパス・フィルタ処理が施された前記画像データと、をブレンドするブレンド回路と、
を含み、
前記比率決定回路は、
前記入力画像データの前記入力階調が前記第１の階調未満である場合には、前記入力階調が前記第１の階調以上である場合と比較して、前記第１のローパス・フィルタ処理が施された前記画像データのブレンド比率を低い値に決定する、
請求項１に記載の表示装置。
【請求項９】
前記比率決定回路は、
前記入力画像データの前記入力階調が前記第１の階調未満である場合には、前記第１のローパス・フィルタ処理が施された前記画像データのブレンド比率を０とする、
請求項８に記載の表示装置。
【請求項１０】
前記第１のフィルタ回路は、前記入力画像データの前記入力階調が前記第１の階調未満である場合には、前記入力階調が前記第１の階調以上の場合と比較して、前記第１のローパス・フィルタ処理の適用サイズを小さくする、
請求項１に記載の表示装置。
【請求項１１】
前記第１のフィルタ回路は、
前記第１のローパス・フィルタ処理の前記適用サイズを決定するフィルタサイズ決定回路と、
前記フィルタサイズ決定回路によって決定された前記適用サイズにて、前記入力画像データに前記第１のローパス・フィルタ処理を行うローパス・フィルタと、
を含む、
請求項１０に記載の表示装置。
【請求項１２】
複数の表示パネルが重ね合わせて配置され、それぞれの前記表示パネルに画像を表示する表示装置であって、
第１の画像を表示する第１の表示パネルと、
前記第１の表示パネルの背面側に配置され、第２の画像を表示する第２の表示パネルと、
入力画像データを取得し、前記入力画像データに基づいて、前記第１の画像に対応する第１の画像データと、前記第２の画像に対応する第２の画像データと、を生成する画像処理部と、を含み、
前記画像処理部は、
前記入力画像データに対して第１のローパス・フィルタ処理を行う第１のフィルタ回路を含み、
前記第１のフィルタ回路は、前記入力画像データの入力階調が第１の階調未満である場合には、前記入力階調が前記第１の階調以上の場合と比較して、前記第１のローパス・フィルタ処理の適用サイズを小さくする、
表示装置。
【発明の詳細な説明】
【技術分野】
【０００１】
本発明は、表示装置に関する。
【背景技術】
【０００２】
従来、表示装置のコントラストを向上させる技術として、２枚の表示パネルを重ね合わせて、入力画像データに基づいて、それぞれの表示パネルに画像を表示させる技術が提案されている（例えば特許文献１参照）。具体例としては、互いに重なり合うよう配置された２枚の表示パネルの内、表示面側に配置された第１の表示パネルにカラー画像を表示し、背面側に配置された第２の表示パネルに白黒画像を表示することにより、コントラストの向上を図るものである。また上記表示装置では、視差による表示不良の低減を図るために、背面側の第２の表示パネルに供給する映像信号に対して、入力画像データの信号レベルが高い部分を局所的に数画素分広げるローパス・フィルタ処理（スムージング処理）を行っている。
【先行技術文献】
【特許文献】
【０００３】
【特許文献１】国際公開第２００７／０４０１３９号
【発明の概要】
【発明が解決しようとする課題】
【０００４】
しかし、上記従来の表示装置では、視差による表示不良の低減と、コントラストの向上と、の両立を図ることが難しかった。例えば、上記ローパス・フィルタ処理を、広い画素領域で行えば、視差による表示不良の低減を図れても、コントラストの向上が難しくなっていた。逆に、上記ローパス・フィルタ処理を、狭い画素領域で行えば、コントラストの向上を図れても、視差による表示不良の低減を図ることが難しくなっていた。
【０００５】
本開示は、上記実情に鑑みてなされたものであり、その目的は、複数の表示パネルを重ね合わせて構成された液晶表示装置において、視差による表示不良の低減と、コントラストの向上と、の両立を図ることにある。
【課題を解決するための手段】
【０００６】
上記課題を解決するために、本開示の一態様に係る表示装置は、複数の表示パネルが重ね合わせて配置され、それぞれの前記表示パネルに画像を表示する表示装置であって、第１の画像を表示する第１の表示パネルと、前記第１の表示パネルの背面側に配置され、第２の画像を表示する第２の表示パネルと、入力画像データを取得し、前記入力画像データに基づいて、前記第１の画像に対応する第１の画像データと、前記第２の画像に対応する第２の画像データと、を生成する画像処理部と、を含み、前記画像処理部は、前記入力画像データに対して第１のローパス・フィルタ処理を行う第１のフィルタ回路を含み、前記第１のフィルタ回路は、前記入力画像データの入力階調が第１の階調未満である場合には、前記入力階調が前記第１の階調以上の場合と比較して、前記第１のローパス・フィルタ処理の度合いを小さくする。
【０００７】
また、本開示の一態様に係る表示装置は、複数の表示パネルが重ね合わせて配置され、それぞれの前記表示パネルに画像を表示する表示装置であって、第１の画像を表示する第１の表示パネルと、前記第１の表示パネルの背面側に配置され、第２の画像を表示する第２の表示パネルと、入力画像データを取得し、前記入力画像データに基づいて、前記第１の画像に対応する第１の画像データと、前記第２の画像に対応する第２の画像データと、を生成する画像処理部と、を含み、前記画像処理部は、前記入力画像データに対して第１のローパス・フィルタ処理を行う第１のフィルタ回路を含み、前記第１のフィルタ回路は、前記入力画像データの入力階調が第１の階調未満である場合には、前記入力階調が前記第１の階調以上の場合と比較して、前記第１のローパス・フィルタ処理の適用サイズを小さくする。
【発明の効果】
【０００８】
本開示に係る表示装置によれば、複数の表示パネルを重ね合わせて構成された表示装置において、視差による表示不良の低減と、コントラストの向上と、の両立を図ることができる。
【図面の簡単な説明】
【０００９】
【図１】図１は第１の実施形態に係る表示装置の概略構成を示す模式図である。
【図２】図２は第１の実施形態に係る第１の表示パネルの概略構成を示す模式図である。
【図３】図３は第１の実施形態に係る第２の表示パネルの概略構成を示す模式図である。
【図４】図４は図２及び図３のＡ−Ａ´線に対応する断面図である。
【図５】図５は第１の実施形態の他の実施例に係る表示装置の画素配置例を示す模式図である。
【図６】図６は第１の実施形態に係る画像処理部の構成を示すブロック図である。
【図７】図７は第１の実施形態の他の実施例に係る画像処理部の構成を示すブロック図である。
【図８】図８は第１の実施形態に係る非線形ゲイン回路における入力階調と出力階調との関係を示すグラフである。
【図９】図９はガンマ値２．２の特性、第１の実施形態に係る１枚の表示パネルのガンマ特性、及び２枚の表示パネルを重ねあわせた状態のガンマ特性を示すグラフである。
【図１０】図１０は第１の実施形態の他の実施例に係る画像処理部の構成を示すブロック図である。
【図１１】図１１は第１の実施形態の他の実施例に係る画像処理部の構成を示すブロック図である。
【図１２】図１２は第１の実施形態に係る比率決定回路における入力階調とブレンド比率との関係を示す模式的なグラフである。
【図１３】図１３は第１の実施形態の他の実施例に係る画像処理部の構成を示すブロック図である。
【図１４】図１４は第１の実施形態の他の実施例に係る画像処理部の構成を示すブロック図である。
【図１５】図１５は第１の実施形態に係るフィルタサイズ決定回路における入力階調と第１のローパス・フィルタ処理の適用サイズとの関係を示す模式的なグラフである。
【図１６】図１６は第１の実施形態の他の実施例に係る画像処理部の構成を示すブロック図である。
【図１７】図１７は第１の実施形態の他の実施例に係る画像処理部の構成を示すブロック図である。
【発明を実施するための形態】
【００１０】
［第１の実施形態］
本開示の第１の実施形態について、図面を用いて以下に説明する。本実施形態に係る表示装置は、画像を表示する複数の表示パネルと、それぞれの表示パネルを駆動する複数の駆動回路（複数のソースドライバ、複数のゲートドライバ）と、それぞれの駆動回路を制御する複数のタイミングコントローラと、外部から入力される入力画像データに対して画像処理を行い、それぞれのタイミングコントローラに画像データを出力する画像処理部と、複数の表示パネルに背面側から光を照射するバックライトと、を含んでいる。表示パネルの数は限定されず２枚以上であればよい。また複数の表示パネルは、観察者側から見て前後方向に互いに重ね合わされて配置されており、それぞれが画像を表示する。以下では、２枚の表示パネルを備える表示装置１０を例に挙げて説明する。
【００１１】
本開示の第１の実施形態に係る表示装置は、図１に示すように、第１の画像を表示する第１の表示パネル１００と、第１の表示パネルの背面側に配置され、第２の画像を表示する第２の表示パネル２００と、入力画像データＤａｔａを取得し、この入力画像データＤａｔａに基づいて、第１の画像に対応する第１の画像データＤＡＴ１と、第２の画像に対応する第２の画像データＤＡＴ２と、を生成する画像処理部３００と、を含む。
【００１２】
画像処理部３００は、入力画像データＤａｔａに対して第１のローパス・フィルタ処理を行う第１のフィルタ回路３３１を含む。第１のフィルタ回路３３１は、入力画像データＤａｔａの入力階調が所定の階調である第１の階調未満である場合には、入力階調が第１の階調以上の場合と比較して、第１のローパス・フィルタ処理の度合いを小さくする構成としている。
【００１３】
このような構成により、視差による表示不良の低減と、コントラストの向上と、の両立を図ることが可能となる。即ち、上述した通り、画像処理部３００に含まれる第１のフィルタ回路３３１は、入力画像データＤａｔａの入力階調が第１の階調未満である場合には、入力階調が第１の階調以上の場合と比較して、第１のローパス・フィルタ処理の度合いを小さくすることで、暗く表示すべき部分を暗く表示することができるため、コントラストの向上を図ることができる。また、第１のフィルタ回路３３１は、入力画像データＤａｔａの入力階調が第１の階調以上である場合には、入力階調が第１の階調未満の場合と比較して、第１のローパス・フィルタ処理の度合いを大きくすることにより、視差による表示不良の低減を図ることが可能となる。その結果として、視差による表示不良の低減と、コントラストの向上と、の両立を図ることが可能となるのである。
【００１４】
以下、第１の実施形態の表示装置１０のより具体的な構成について、図面を用いて説明する。
【００１５】
［第１の実施例］
図１は、本実施形態に係る表示装置１０の概略構成を示す模式図である。図１に示すように、表示装置１０は、表示装置１０全体の表示面側に配置された第１の表示パネル１００と、第１の表示パネル１００より背面側に配置された第２の表示パネル２００と、第１の表示パネル１００に設けられた第１のソースドライバ１２０及び第１のゲートドライバ１３０を制御する第１のタイミングコントローラ１４０と、第２の表示パネル２００に設けられた第２のソースドライバ２２０及び第２のゲートドライバ２３０を制御する第２のタイミングコントローラ２４０と、第１のタイミングコントローラ１４０及び第２のタイミングコントローラ２４０に画像データを出力する画像処理部３００と、を含んでいる。第１の表示パネル１００は入力画像データに基づき生成された第１の画像データに対応する第１の画像（本実施形態においてはカラー画像）を第１の画像表示領域１１０に表示し、第２の表示パネル２００は入力画像データに基づき生成された第２の画像データに対応する第２の画像（本実施形態においては白黒画像）を第２の画像表示領域２１０に表示する。画像処理部３００は、外部のシステム（図示せず）から送信された入力画像データＤａｔａを受信し、後述する画像処理を実行した後、第１のタイミングコントローラ１４０に第１の画像データＤＡＴ１を出力し、第２のタイミングコントローラ２４０に第２の画像データＤＡＴ２を出力する。また画像処理部３００は、第１のタイミングコントローラ１４０及び第２のタイミングコントローラ２４０に同期信号等の制御信号（図１では省略）を出力する。第１の画像データＤＡＴ１は第１の画像表示用の画像データであり、第２の画像データＤＡＴ２は第２の画像表示用の画像データである。バックライト（図１では省略）は、第２の表示パネル２００の背面側に配置されている。画像処理部３００の具体的な構成は後述する。なお、本実施形態においては、第１の画像がカラー画像である例を説明するが、第１の画像が白黒画像であってもよい。
【００１６】
図２は第１の表示パネル１００の概略構成を示す模式図であり、図３は第２の表示パネル２００の概略構成を示す模式図である。図４は、図２及び図３のＡ−Ａ´線に対応する断面図である。
【００１７】
図２及び図４を用いて、第１の表示パネル１００の構成について説明する。図４に示すように、第１の表示パネル１００は、背面側、即ちバックライト４００側に配置された薄膜トランジスタ基板（以下、ＴＦＴ基板という。）１０１と、ＴＦＴ基板１０１よりも表示面側に配置され、ＴＦＴ基板１０１に対向するカラーフィルタ基板（以下、ＣＦ基板という。）１０２と、ＴＦＴ基板１０１及びＣＦ基板１０２の間に配置された液晶層１０３と、を含んでいる。第１の表示パネル１００の背面側、即ちバックライト４００側には偏光板１０４が配置されており、表示面側には偏光板１０５が配置されている。
【００１８】
ＴＦＴ基板１０１には、図２に示すように、第１方向（例えば列方向）に延在する複数のデータ線１１１と、第１方向とは異なる第２方向（例えば行方向）に延在する複数のゲート線１１２とが形成され、複数のデータ線１１１と複数のゲート線１１２とのそれぞれの交差部近傍に薄膜トランジスタ（以下、ＴＦＴという。）１１３が形成されている。第１の表示パネル１００を平面的に見て、隣り合う２本のデータ線１１１と隣り合う２本のゲート線１１２とにより囲まれる領域が１つのサブ画素１１４として規定され、該サブ画素１１４がマトリクス状（行方向及び列方向）に複数配置されている。複数のデータ線１１１は、行方向に等間隔で配置されており、複数のゲート線１１２は、列方向に等間隔で配置されている。ＴＦＴ基板１０１には、サブ画素１１４ごとに画素電極１１５が形成されており、複数のサブ画素１１４に共通する１つの共通電極（図示せず）が形成されている。ＴＦＴ１１３を構成するドレイン電極はデータ線１１１に電気的に接続され、ソース電極は画素電極１１５に電気的に接続され、ゲート電極はゲート線１１２に電気的に接続されている。
【００１９】
図４に示すように、ＣＦ基板１０２には、各サブ画素１１４に対応して複数の着色部１０２ａが形成されている。各着色部１０２ａは、光の透過を遮断するブラックマトリクス１０２ｂで囲まれており、例えば矩形状に形成されている。また、複数の着色部１０２ａは、赤色の材料で形成され、赤色の光を透過する赤色部と、緑色の材料で形成され、緑色の光を透過する緑色部と、青色の材料で形成され、青色の光を透過する青色部と、を含んでいる。赤色部、緑色部、及び青色部は、行方向にこの順に繰り返し配列され、同一色の着色部が列方向に配列され、行方向及び列方向に隣り合う着色部１０２ａの境界部分にブラックマトリクス１０２ｂが形成されている。各着色部１０２ａに対応して、複数のサブ画素１１４は、図２に示すように、赤色部に対応する赤色サブ画素１１４Ｒと、緑色部に対応する緑色サブ画素１１４Ｇと、青色部に対応する青色サブ画素１１４Ｂと、を含んでいる。尚、第１の表示パネル１００では、１つの赤色サブ画素１１４Ｒ、１つの緑色サブ画素１１４Ｇ及び１つの青色サブ画素１１４Ｂを含んで１つの画素１２４を構成し、複数の画素１２４がマトリクス状に配置されている。
【００２０】
第１のタイミングコントローラ１４０は、画像処理部３００から出力される第１の画像データＤＡＴ１と第１制御信号ＣＳ１（クロック信号、垂直同期信号、水平同期信号等）とに基づいて、第１の画像データＤＡ１と、第１のソースドライバ１２０及び第１のゲートドライバ１３０の駆動を制御するための各種タイミング信号（データスタートパルスＤＳＰ１、データクロックＤＣＫ１、ゲートスタートパルスＧＳＰ１、ゲートクロックＧＣＫ１）とを生成する（図２参照）。第１のタイミングコントローラ１４０は、第１の画像データＤＡ１と、データスタートパルスＤＳＰ１と、データクロックＤＣＫ１とを第１のソースドライバ１２０に出力し、ゲートスタートパルスＧＳＰ１とゲートクロックＧＣＫ１とを第１のゲートドライバ１３０に出力する。
【００２１】
第１のソースドライバ１２０は、データスタートパルスＤＳＰ１及びデータクロックＤＣＫ１に基づいて、第１の画像データＤＡ１に応じたデータ信号（データ電圧）をデータ線１１１に出力する。第１のゲートドライバ１３０は、ゲートスタートパルスＧＳＰ１及びゲートクロックＧＣＫ１に基づいて、ゲート信号（ゲート電圧）をゲート線１１２に出力する。
【００２２】
各データ線１１１には、第１のソースドライバ１２０からデータ電圧が供給され、各ゲート線１１２には、第１のゲートドライバ１３０からゲート電圧が供給される。共通電極には、コモンドライバ（図示せず）から共通電圧が供給される。ゲート電圧（ゲートオン電圧）がゲート線１１２に供給されると、ゲート線１１２に接続されたＴＦＴ１１３がオンし、ＴＦＴ１１３に接続されたデータ線１１１を介して、データ電圧が画素電極１１５に供給される。画素電極１１５に供給されたデータ電圧と、共通電極に供給された共通電圧との差により電界が生じる。この電界により液晶を駆動してバックライト４００の光の透過率を制御することによって画像表示を行う。第１の表示パネル１００では、赤色サブ画素１１４Ｒ、緑色サブ画素１１４Ｇ、青色サブ画素１１４Ｂそれぞれの画素電極１１５に接続されたデータ線１１１に、所望のデータ電圧を供給することにより、カラー画像表示が行われる。尚、第１の表示パネル１００には、周知の構成を適用することができる。
【００２３】
次に、図３及び図４を用いて、第２の表示パネル２００の構成について説明する。図４に示すように、第２の表示パネル２００は、背面側、即ちバックライト４００側に配置されたＴＦＴ基板２０１と、表示面側に配置され、ＴＦＴ基板２０１に対向するＣＦ基板２０２と、ＴＦＴ基板２０１及びＣＦ基板２０２の間に配置された液晶層２０３と、を含んでいる。第２の表示パネル２００の背面側、即ちバックライト４００側には偏光板２０４が配置されており、表示面側には偏光板２０５が配置されている。第１の表示パネル１００の偏光板１０４と、第２の表示パネル２００の偏光板２０５との間には、拡散シート３０１が配置されている。
【００２４】
ＴＦＴ基板２０１には、図３に示すように、列方向に延在する複数のデータ線２１１と、行方向に延在する複数のゲート線２１２とが形成され、複数のデータ線２１１と複数のゲート線２１２とのそれぞれの交差部近傍にＴＦＴ２１３が形成されている。第２の表示パネル２００を平面的に見て、隣り合う２本のデータ線２１１と隣り合う２本のゲート線２１２とにより囲まれる領域が１つの画素２１４として規定され、該画素２１４がマトリクス状（行方向及び列方向）に複数配置されている。複数のデータ線２１１は、行方向に等間隔で配置されており、複数のゲート線２１２は、列方向に等間隔で配置されている。ＴＦＴ基板２０１には、画素２１４ごとに画素電極２１５が形成されており、複数の画素２１４に共通する１つの共通電極（図示せず）が形成されている。ＴＦＴ２１３を構成するドレイン電極はデータ線２１１に電気的に接続され、ソース電極は画素電極２１５に電気的に接続され、ゲート電極はゲート線２１２に電気的に接続されている。第１の表示パネル１００の各サブ画素１１４と、第２の表示パネル２００の各画素２１４とは、互いに１対１の関係で配置されており、平面視で互いに重なっている。例えば、図２に示す画素１２４を構成する赤色サブ画素１１４Ｒ、緑色サブ画素１１４Ｇ及び青色サブ画素１１４Ｂそれぞれと、図３に示す３個の画素２１４それぞれとが平面視で重なっている。尚、図５に示すように、第１の表示パネル１００の３個のサブ画素１１４（赤色サブ画素１１４Ｒ、緑色サブ画素１１４Ｇ、青色サブ画素１１４Ｂ）（図５（ａ）参照）と、第２の表示パネル２００の１個の画素２１４（図５（ｂ）参照）とが平面視で重なっていてもよい。
【００２５】
図４に示すように、ＣＦ基板２０２には、各画素２１４の境界部分に対応する位置に、光の透過を遮断するブラックマトリクス２０２ｂが形成されている。ブラックマトリクス２０２ｂで囲まれた領域２０２ａには、着色部は形成されておらず、例えばオーバーコート膜が形成されている。
【００２６】
第２のタイミングコントローラ２４０は、画像処理部３００から出力される第２の画像データＤＡＴ２と第２制御信号ＣＳ２（クロック信号、垂直同期信号、水平同期信号等）とに基づいて、第２の画像データＤＡ２と、第２のソースドライバ２２０及び第２のゲートドライバ２３０の駆動を制御するための各種タイミング信号（データスタートパルスＤＳＰ２、データクロックＤＣＫ２、ゲートスタートパルスＧＳＰ２、ゲートクロックＧＣＫ２）とを生成する（図３参照）。第２のタイミングコントローラ２４０は、第２の画像データＤＡ２と、データスタートパルスＤＳＰ２と、データクロックＤＣＫ２とを第２のソースドライバ２２０に出力し、ゲートスタートパルスＧＳＰ２とゲートクロックＧＣＫ２とを第２のゲートドライバ２３０に出力する。
【００２７】
第２のソースドライバ２２０は、データスタートパルスＤＳＰ２及びデータクロックＤＣＫ２に基づいて、第２の画像データＤＡ２に応じたデータ電圧をデータ線２１１に出力する。第２のゲートドライバ２３０は、ゲートスタートパルスＧＳＰ２及びゲートクロックＧＣＫ２に基づいて、ゲート電圧をゲート線２１２に出力する。
【００２８】
各データ線２１１には、第２のソースドライバ２２０からデータ電圧が供給され、各ゲート線２１２には、第２のゲートドライバ２３０からゲート電圧が供給される。共通電極には、コモンドライバから共通電圧が供給される。ゲート電圧（ゲートオン電圧）がゲート線２１２に供給されると、ゲート線２１２に接続されたＴＦＴ２１３がオンし、ＴＦＴ２１３に接続されたデータ線２１１を介して、データ電圧が画素電極２１５に供給される。画素電極２１５に供給されたデータ電圧と、共通電極に供給された共通電圧との差により電界が生じる。この電界により液晶を駆動してバックライト４００の光の透過率を制御することによって画像表示を行う。第２の表示パネル２００では、白黒画像表示が行われる。尚、第２の表示パネル２００には、周知の構成を適用することができる。
【００２９】
図６は、画像処理部３００の具体的な構成の一例を示すブロック図である。画像処理部３００は、第１のガンマ処理部３１１、補正回路３１２、第２のガンマ処理部３２１、第１のフィルタ回路３３１、及び第２のフィルタ回路３４１を含んでいる。また、本実施形態においては、第１のフィルタ回路３３１が、縮小回路３３２、ローパス・フィルタ３３３、拡大回路３３４、ゲイン決定回路３３５、及び非線形ゲイン回路３３６を含んでいる。画像処理部３００は、入力画像データＤａｔａに基づいて以下の画像処理を行い、第１の表示パネル１００に表示される第１の画像に対応する第１の画像データＤＡＴ１（本実施形態においてはカラー画像データ）と、第２の表示パネル２００に表示される第２の画像に対応する第２の画像データＤＡＴ２（本実施形態においては白黒画像データ）とを生成する。
【００３０】
画像処理部３００が、外部のシステムから送信された入力画像データＤａｔａを受信すると、入力画像データＤａｔａは、第１のガンマ処理部３１１、及び第２のガンマ処理部３２１に送信される。尚、入力画像データＤａｔａは、例えば輝度情報（階調情報）と色情報とを含んでいる。色情報は、色を指定するための情報であり、例えば、入力画像データＤａｔａが８ビットの場合、赤色、緑色、青色を含む複数色それぞれの色を０〜２５５の値で表すことができる。上記複数色には、少なくとも赤色、緑色及び青色を含み、さらにＷ（白）色及び／又はＹ（黄）色が含まれてもよい。
【００３１】
第１のガンマ処理部３１１は、入力画像データＤａｔａを取得すると、第１の階調テーブルを参照して、第１の階調を決定する第１のガンマ処理を行う。例えば、第１のガンマ処理部３１１は、第１の表示パネル１００用のガンマ特性である第１のガンマ特性に基づいて設定された第１ガンマ値γ１を用いて、第１の階調を決定する。第１のガンマ処理部３１１は、上記第１のガンマ処理を施した入力画像データを補正回路３１２に出力する。
【００３２】
第２のガンマ処理部３２１は、入力画像データＤａｔａを取得すると、第２の階調テーブルを参照して、第２の階調を決定する第２のガンマ処理を行う。例えば、第２のガンマ処理部３２１は、第２の表示パネル２００用のガンマ特性である第２のガンマ特性に基づいて設定された第２ガンマ値γ２を用いて、第２の階調を決定する。第２のガンマ処理部３２１は、上記第２のガンマ処理を施した入力画像データを第１のフィルタ回路３３１に出力する。
【００３３】
ここで、上述した第１ガンマ値γ１及び第２ガンマ値γ２の設定方法について説明する。例えば、第１ガンマ値γ１及び第２ガンマ値γ２は、カラー画像である第１の画像と、白黒画像である第２の画像とを合成した合成画像の合成ガンマ値が２．２になるように設定される。例えば、第１の表示パネル１００の第１ガンマ特性、及び第２の表示パネル２００の第２ガンマ特性がともに、ガンマ値２．２の場合、第１の表示パネル１００の輝度をＬｍ、第２の表示パネル２００の輝度をＬｓとすると、合成輝度はＬｍ×Ｌｓで表される。この合成輝度Ｌｍ×Ｌｓを、入力画像データＤａｔａ、第１ガンマ値γ１、第２ガンマ値γ２で表すと、以下の式となる。
Ｌｍ×Ｌｓ＝(Ｄａｔａ＾γ１)＾２．２×(Ｄａｔａ＾γ２)＾２．２
＝Ｄａｔａ＾(γ１×２．２)×Ｄａｔａ＾(γ２×２．２)
＝Ｄａｔａ＾（γ１×２．２＋γ２×２．２)
よって、（γ１＋γ２)＝１となるように、第１ガンマ値γ１及び第２ガンマ値γ２を設定すれば、合成ガンマ値を２．２とすることができる。
【００３４】
図６に示すように、第２のガンマ処理を施された入力画像データは、第２のガンマ処理部３２１から、第１のフィルタ回路３３１の縮小回路３３２、ゲイン決定回路３３５、及び非線形ゲイン回路３３６に入力される。
【００３５】
縮小回路３３２は、入力画像データに対して、画像サイズを縮小する処理を行う。具体例としては、縮小回路３３２は、１６×１６の画素領域における輝度の最大値を選択することにより、２５６個の画素を１つの画素に縮小する。縮小回路３３２は、画像サイズを縮小した入力画像データをローパス・フィルタ３３３に出力する。
【００３６】
ローパス・フィルタ３３３は、視差による表示不良の低減を図るために、入力画像データに対して、入力画像データの信号レベルが高い部分を局所的に数画素分広げる第１のローパス・フィルタ処理を行う。例えば、ローパス・フィルタ３３３は、入力画像データに対して、所定のフィルタ係数を乗算することにより、信号レベルが高い部分を局所的に数画素分広げる処理を行う。
【００３７】
本実施形態においては、ローパス・フィルタ３３３は、縮小回路３３２により画像サイズが縮小された入力画像データにつき、第１のローパス・フィルタ処理を施すため、簡易的に大きな画素領域において第１のローパス・フィルタ処理を施すことができる。例えば、ローパス・フィルタ３３３が、縮小回路３３２により画像サイズが縮小された入力画像データにおける１１×１１の画素領域について第１のローパス・フィルタ処理を行う場合は、実際には１７６×１７６の画素領域について、第１のローパス・フィルタ処理を行うことができる。ローパス・フィルタ３３３は、上記第１のローパス・フィルタ処理が施された画像データを拡大回路３３４に出力する。
【００３８】
拡大回路３３４は、第１のローパス・フィルタ処理が施された画像データに対して、画像サイズを拡大する処理を行う。具体例としては、拡大回路３３４は、一つの画素を、例えば１６×１６の画素領域に拡大する。拡大回路３３４による画像サイズの拡大方法としては、線形補間やＢｉｃｕｂｉｃ補間等、一般的な補間方法を用いることができる。拡大回路３３４は、画素サイズを拡大した画像データをゲイン決定回路３３５に出力する。
【００３９】
このように、ローパス・フィルタ３３３の前段に縮小回路３３２を設け、ローパス・フィルタ３３３の後段に拡大回路３３４を設けることにより、ローパス・フィルタ３３３による演算処理の負荷を低減することができ、ローパス・フィルタ３３３の回路サイズを小さくすることが可能となる。
【００４０】
なお、縮小回路３３２が画像サイズを縮小する際に、所定の画素領域における輝度の最大値を選択する例を示したが、縮小回路３３２が、所定の画素領域における輝度の平均値を出力する構成としてもよい。ただし、縮小回路３３２が、所定の画素領域における輝度の最大値を選択する構成とすることにより、輝度のピーク値を維持することができるという効果を得ることができ望ましい。
【００４１】
ゲイン決定回路３３５は、第１のローパス・フィルタ処理が施された画像データの階調と、入力画像データの入力階調と、を用いてゲインを決定する。具体例としては、第１のローパス・フィルタ処理が施された画像データの階調を、入力画像データの入力階調で除算して得た演算値に応じて、ゲインの値を決定する。本実施形態においては、ゲイン決定回路３３５は、第１のローパス・フィルタ処理が施された画像データの階調を、入力画像データの入力階調で除算して得た演算値が２未満の場合は、ゲインを１とし、演算値が２以上且つ３未満の場合は、ゲインを２とし、演算値が３以上且つ４未満の場合は、ゲインを３とし、演算値が４以上の場合は、ゲインを４とする。ゲイン決定回路３３５は、決定したゲインの値を非線形ゲイン回路３３６に出力する。
【００４２】
非線形ゲイン回路３３６は、ゲイン決定回路３３５により決定されたゲイン値を用いて、入力画像データに非線形ゲイン処理を行う。より具体的には、非線形ゲイン回路３３６は、図８に示すように、横軸に示す入力画像データの入力階調が所定の値である第１の階調以上である場合には、ゲイン決定回路３３５により決定されたゲインに応じて縦軸に示す出力階調値を決定し、入力画像データの入力階調が第１の階調未満である場合には、ゲイン決定回路により決定されたゲイン以下のゲインを用いて出力階調値を決定する。例えば、ゲイン決定回路３３５により決定されたゲイン値が３であったとしても、入力階調が第１の階調未満である場合には、ゲイン値を１として、出力階調値を決定する。
【００４３】
このような構成により、視差による表示不良の低減と、コントラストの向上と、の両立を図ることが可能となる。即ち、入力画像データの入力階調が第１の階調未満である場合には、非線形ゲイン回路３３６は、ゲイン決定回路３３５が決定したゲイン以下のゲインを用いて出力階調値を決定するため、入力階調が第１の階調以上の場合と比較して、ローパス・フィルタ３３３による第１のローパス・フィルタ処理の度合いを小さくすることができ、暗く表示すべき部分を暗く表示することができる。そのため、コントラストの向上を図ることができる。また、入力画像データの入力階調が第１の階調以上である場合には、非線形ゲイン回路３３６は、ゲイン決定回路３３５が決定したゲイン値に応じて出力階調値を決定するため、ローパス・フィルタ３３３による第１のローパス・フィルタ処理の効果が活かされ、視差による表示不良の低減を図ることが可能となる。その結果として、視差による表示不良の低減と、コントラストの向上と、の両立を図ることが可能となるのである。
【００４４】
なお、図８に示す例においては、非線形ゲイン回路３３６は、入力画像データの入力階調が第１の階調未満である場合には、ゲインを１として出力階調値を決定する。即ち、入力階調が第１の階調未満である場合には、第１のローパス・フィルタ処理の適用サイズが０となることを意味する。従って、第１のフィルタ回路３３１は、入力階調が第１の階調未満である場合には、入力階調が第１の階調以上の場合と比較して、第１のローパス・フィルタ処理の適用サイズが小さい構成となっているともいえる。
【００４５】
なお、上述した第１の階調の値としては、ガンマ値２．２の特性から、第２の表示パネル２００のガンマ特性が外れる変曲点における入力階調を変曲点階調とし、当該変曲点階調の０．５倍から１．５倍までの範囲に設定することが望ましい。図９は、ガンマ値２．２の特性、１枚の表示パネルのガンマ特性、及び２枚の表示パネルを重ねあわせた状態のガンマ特性を示すグラフである。図９において、横軸は入力階調を示し、縦軸は輝度を示す。また、図９において、実線はガンマ値２．２の特性を示し、一点鎖線は１枚の表示パネルのガンマ特性を、二点鎖線は２枚の表示パネルを重ねあわせた状態のガンマ特性を示す。図９に示すように、２枚の表示パネルを重ねあわせたガンマ特性は、ガンマ値２．２の特性と近く、０．００１の入力階調時において、最大輝度を１とした場合における１０−６の輝度を表現することが可能である。これに対し、１枚の表示パネルのガンマ特性では、最大輝度を１とした場合における１０−３の輝度を表現するのが限界であり、図９に示す例おいては、入力階調がおよそ０．０９のところから、ガンマ値２．２の特性から外れることがわかる。この１枚の表示パネル（例えば第２の表示パネル２００）のガンマ特性が、ガンマ値２．２の特性から外れる点を変曲点Ｐとし、この変曲点Ｐの入力階調を変曲点階調とする。この変曲点階調よりも高い階調は、１枚の表示パネルで表現可能であり、変曲点階調よりも低い階調は、１枚の表示パネルでは表現することが難しいことを意味する。図８を用いて上述した第１の階調の値は、この変曲点階調の０．５倍から１．５倍までの範囲に含まれることが望ましい。本実施形態においては、変曲点階調が０．０９であるため、第１の階調の値は、０．０４５〜０．１３５の範囲であることが望ましい。第１の階調の値を変曲点階調の０．５倍以上とすることにより、コントラストの向上を実現することができ、第１の階調の値を変曲点階調の１．５倍以下とすることにより、視差による表示不良の低減を図ることができる。
【００４６】
本実施形態においては、画像処理部３００が、第１のフィルタ回路３３１の後段において、非線形ゲイン処理が行われた入力画像データに対して第２のフィルタ処理を行う第２のフィルタ回路３４１を含む構成としている。第２のフィルタ処理としては、ローパス・フィルタ３３３と同様のローパス・フィルタ処理であってもよく、最大値フィルタ処理であっても良い。最大値フィルタ処理とは、例えば、注目画素を中心とする所定の画素領域内における輝度の最大値を、その注目画素の輝度に設定する処理である。具体例としては、１５×１５の画素領域を第２のフィルタ処理の適用サイズとする場合、注目画素を中心とする１５×１５の画素領域における輝度の最大値を、注目画素の輝度に設定する。
【００４７】
第２のフィルタ回路３４１は、上述した第２のフィルタ処理によって、視差による表示不良の低減を図るために、入力画像データに対して、入力画像データの信号レベルが高い部分を局所的に数画素分広げる処理を行う。その際、この第２のフィルタ回路３４１による第２のフィルタ処理の適用サイズは、第１のフィルタ回路３３１による第１のローパス・フィルタ処理の適用サイズよりも小さい構成としている。例えば、第１のフィルタ回路３３１による第１のローパス・フィルタ処理の適用サイズを１７６×１７６の画素領域とし、第２のフィルタ回路３４１による第２のフィルタ処理の適用サイズを１５×１５の画素領域とする。このような構成とすることにより、第１のフィルタ回路３３１においては、第１のローパス・フィルタ処理の効果を受けなかった第１の階調以下の低階調領域においても第２のフィルタ処理を適用し、視差による表示不良の低減を図ることができる。また、その際、第２のフィルタ回路３４１による第２のフィルタ処理の適用サイズを、第１のフィルタ回路３３１による第１のローパス・フィルタ処理の適用サイズよりも小さい構成とすることで、低階調領域における第２のフィルタ処理を限られた画素領域内で行うことで、コントラスト向上の効果を担保することが可能となる。
【００４８】
なお、「第１のフィルタ回路３３１による第１のローパス・フィルタ処理の適用サイズ」とは、ローパス・フィルタ３３３が行う第１のローパス・フィルタ処理の画素領域に限定されない。即ち、上述したように、縮小回路３３２によって１６×１６の画素領域を１つの画素に入力画像データが縮小された場合、ローパス・フィルタ３３３が、この縮小された入力画像データにおける１１×１１の画素領域について第１のローパス・フィルタ処理を行えば、実質的には１７６×１７６の画素領域について、第１のローパス・フィルタ処理を行うことになる。従って、第１のフィルタ回路３３１が、ローパス・フィルタ３３３の前段に、例えば縮小回路３３２を含むような場合には、縮小前の画像データに対応する第１のローパス・フィルタ処理の適用サイズを、「第１のフィルタ回路３３１による第１のローパス・フィルタ処理の適用サイズ」とする。
【００４９】
第２のフィルタ回路３４１は、第２のフィルタ処理を施した画像データを、第２の画像データＤＡＴ２として第２のタイミングコントローラ２４０に出力するとともに、補正回路３１２に出力する。
【００５０】
補正回路３１２は、第２のフィルタ処理が施された画像データを取得すると、第１のフィルタ回路３３１、及び第２のフィルタ回路３４１による画像データの階調の修正に応じて、第１のガンマ処理部３１１により第１のガンマ処理が施された入力画像データを補正する。具体例としては、補正回路３１２は、第２のガンマ処理部３２１において第２のガンマ処理が施された入力画像データに対して、第２のフィルタ回路３４１から出力された画像データを除算して、補正係数を算出する。そして、補正回路３１２は、当該補正係数を、第１のガンマ処理が施された入力画像データに対して乗算することにより、入力画像データを補正する。なお、画像処理部３００が第２のフィルタ回路３４１を含まない場合は、補正回路３１２は、第２のガンマ処理が施された入力画像データに対して、第１のフィルタ回路３３１から出力された画像データを除算して、補正係数を算出する。そして、補正回路３１２は、当該補正係数を、第１のガンマ処理が施された入力画像データに対して乗算することにより、入力画像データを補正する。補正回路３１２は、このようにして補正された画像データを第１の画像データＤＡＴ１として、第１のタイミングコントローラ１４０に出力する。
【００５１】
なお、本実施例においては、第１のガンマ処理部３１１を補正回路３１２の前段に配置し、第２のガンマ処理部３２１を第１のフィルタ回路３３１の前段に配置する例を示したが、図７に示すように、第１のガンマ処理部３１１を補正回路３１２の後段に配置し、第２のガンマ処理部３２１を第１のフィルタ回路３３１、第２のフィルタ回路３４１の後段に配置する構成としてもよい。その場合、補正回路３１２は、入力画像データＤａｔａに対して、第１のフィルタ回路３３１（又は第２のフィルタ回路３４１）から出力された画像データを除算して、補正係数を算出し、当該補正係数を、入力画像データＤａｔａに対して乗算する構成とすればよい。
【００５２】
なお、図６に示す例においては、第１のフィルタ回路３３１が、縮小回路３３２、拡大回路３３４を有する構成を示したが、第１のフィルタ回路３３１が縮小回路３３２、拡大回路３３４を有さない構成としてもよい。また、図１０に示すように、ローパス・フィルタ３３３の前段に、入力画像データに対して、上述した最大値フィルタ処理を行う最大値フィルタ３４０を設ける構成とすれば、輝度のピーク値を維持することができるという効果を得ることができる。
【００５３】
［第２の実施例］
なお、第１のフィルタ回路３３１の構成は、図６、１０を用いて上述した構成に限定されない。図１１に示す例においては、第１のフィルタ回路３３１が、図６、１０を用いて上述したゲイン決定回路３３５、及び非線形ゲイン回路３３６を備えておらず、代わりに比率決定回路３３７、及びブレンド回路３３８を備える構成としている。
【００５４】
比率決定回路３３７は、ブレンド回路３３８における、第１のローパス・フィルタ処理が施された画像データと、入力画像データと、のブレンド比率を決定する。図１２は、比率決定回路３３７によるブレンド比率の決定方法を示す模式的なグラフである。図１２において、横軸は入力画像データの入力階調を示し、縦軸は第１のローパス・フィルタ処理が施された画像データのブレンド比率を示す。図１２に示すように、比率決定回路３３７は、入力画像データの入力階調が第１の階調未満である場合には、入力階調が第１の階調以上である場合と比較して、第１のローパス・フィルタ処理が施された画像データのブレンド比率を低い値に決定する。そして、比率決定回路３３７は、入力階調が大きくなるに従って、ブレンド比率を大きくし、入力階調が０．３以上となったらブレンド比率を１とする。比率決定回路３３７は、決定したブレンド比率をブレンド回路３３８に出力する。
【００５５】
ブレンド回路３３８は、比率決定回路３３７により決定されたブレンド比率に応じて、入力画像データと、第１のローパス・フィルタ処理が施された画像データと、をブレンドする。上述したとおり、比率決定回路３３７は、入力画像データの入力階調が第１の階調未満である場合には、入力階調が第１の階調以上である場合と比較して、第１のローパス・フィルタ処理が施された画像データのブレンド比率を低い値に決定している。そのため、ブレンド回路３３８は、入力階調が第１の階調未満である場合には、低いブレンド比率で第１のローパス・フィルタ処理が施された画像データをブレンドするため、ブレンド回路３３８から出力される画像データにおいては、第１のローパス・フィルタ処理の度合いが小さい状態となっている。そして、入力階調が大きくなるに従って、第１のローパス・フィルタ処理が施された画像データをブレンド比率が高くなり、ブレンド回路３３８から出力される画像データにおいて、第１のローパス・フィルタ処理の度合いが大きい状態となる。
【００５６】
このような構成により、視差による表示不良の低減と、コントラストの向上と、の両立を図ることが可能となる。即ち、入力画像データの入力階調が第１の階調未満である場合には、ブレンド回路３３８は、低いブレンド比率で第１のローパス・フィルタ処理が施された画像データをブレンドするため、ブレンド回路３３８から出力される画像データにおいては、第１のローパス・フィルタ処理の度合いが小さい状態となっている。その結果、暗く表示すべき部分を暗く表示することができ、コントラストの向上を図ることができる。また、入力画像データの入力階調が第１の階調以上である場合には、ブレンド回路３３８は、高いブレンド比率で第１のローパス・フィルタ処理が施された画像データをブレンドするため、ブレンド回路３３８から出力される画像データにおいては、第１のローパス・フィルタ処理の度合いが大きい状態となっている。その結果、ローパス・フィルタ３３３による第１のローパス・フィルタ処理の効果が活かされ、視差による表示不良の低減を図ることが可能となる。その結果として、視差による表示不良の低減と、コントラストの向上と、の両立を図ることが可能となるのである。
【００５７】
なお、図１２に示す例においては、比率決定回路３３７は、入力画像データの入力階調が第１の階調未満である場合には、第１のローパス・フィルタ処理が施された画像データのブレンド比率を０とする。即ち、入力階調が第１の階調未満である場合には、第１のローパス・フィルタ処理の適用サイズが０となることを意味する。従って、第１のフィルタ回路３３１は、入力階調が第１の階調未満である場合には、入力階調が第１の階調以上の場合と比較して、第１のローパス・フィルタ処理の適用サイズが小さい構成となっているともいえる。
【００５８】
なお、図１２に示した第１の階調の値としては、図９に示したガンマ値２．２の特性から、第２の表示パネル２００のガンマ特性が外れる変曲点Ｐにおける入力階調を変曲点階調とし、当該変曲点階調の０．５倍から１．５倍までの範囲に設定することが望ましい。
【００５９】
なお、図１１に示すように、画像処理部３００が、第１のフィルタ回路３３１の後段において、ブレンド回路３３８によるブレンド処理が行われた入力画像データに対して、第２のフィルタ処理を行う第２のフィルタ回路３４１を更に含む構成としてもよい。第２のフィルタ回路３４１の構成については、第１の実施例において図６を用いて上述したものと同様の構成を用いることができる。その場合、第１の実施例において上述したとおり、第２のフィルタ回路３４１による第２のフィルタ処理の適用サイズは、第１のフィルタ回路３３１による第１のローパス・フィルタ処理の適用サイズよりも小さい構成とすることが望ましい。
【００６０】
なお、図１１に示す例においても、第１のフィルタ回路３３１が、縮小回路３３２、拡大回路３３４を有さない構成としてもよい。また、図１３に示すように、ローパス・フィルタ３３３の前段に、入力画像データに対して、上述した最大値フィルタ処理を行う最大値フィルタ３４０を設ける構成とすれば、輝度のピーク値を維持することができるという効果を得ることができる。
【００６１】
なお、図１１に示す例においても、図７に示したように第１のガンマ処理部３１１を補正回路３１２の後段に配置し、第２のガンマ処理部３２１を第１のフィルタ回路３３１、第２のフィルタ回路３４１の後段に配置する構成としてもよい。その場合、補正回路３１２は、入力画像データＤａｔａに対して、第１のフィルタ回路３３１（又は第２のフィルタ回路３４１）から出力された画像データを除算して、補正係数を算出し、当該補正係数を、入力画像データＤａｔａに対して乗算する構成とすればよい。
【００６２】
［第３の実施例］
図１４に示す例においては、第１のフィルタ回路３３１が、ローパス・フィルタ３３３と、フィルタサイズ決定回路３３９と、を含む構成としている。
【００６３】
フィルタサイズ決定回路３３９は、第１のローパス・フィルタ処理の適用サイズを決定する。ここで、フィルタ処理の適用サイズとは、フィルタが行うフィルタ処理で参照する画素数をいう。例えば、ローパス・フィルタ３３３が、注目画素の周囲のＮ画素×Ｎ画素に対して第１のローパス・フィルタ処理を行う場合、Ｎ×Ｎが、第１のローパス・フィルタ処理の適用サイズである。図１５は、フィルタサイズ決定回路３３９による、第１のローパス・フィルタ処理の適用サイズの決定方法を示す模式的なグラフである。図１５において、横軸は入力画像データの入力階調を示し、縦軸は第１のローパス・フィルタ処理の適用サイズを示す。図１５に示すように、フィルタサイズ決定回路３３９は、入力画像データの入力階調が第１の階調未満である場合には、入力階調が第１の階調以上である場合と比較して、第１のローパス・フィルタ処理の適用サイズを小さい値に決定する。そして、フィルタサイズ決定回路３３９は、入力階調が大きくなるに従って、第１のローパス・フィルタ処理の適用サイズを大きくする。フィルタサイズ決定回路３３９は、決定した適用サイズをローパス・フィルタ３３３に出力する。
【００６４】
ローパス・フィルタ３３３は、フィルタサイズ決定回路３３９によって決定された適用サイズに応じて、入力画像データに第１のローパス・フィルタ処理を行う。上述したとおり、フィルタサイズ決定回路３３９は、入力画像データの入力階調が第１の階調未満である場合には、入力階調が第１の階調以上である場合と比較して、第１のローパス・フィルタ処理の適用サイズを小さい値に決定している。そのため、入力画像データの入力階調が第１の階調未満である場合には、入力階調が第１の階調以上の場合と比較して、第１のフィルタ回路３３１全体として、第１のローパス・フィルタ処理の適用サイズが小さくなる構成を実現している。
【００６５】
このような構成により、視差による表示不良の低減と、コントラストの向上と、の両立を図ることが可能となる。即ち、入力画像データの入力階調が第１の階調未満である場合には、ローパス・フィルタ３３３は、比較的に小さい適用サイズで第１のローパス・フィルタ処理を行う。その結果、周辺に高い輝度を有する画素があっても、暗く表示すべき部分を暗く表示することができ、コントラストの向上を図ることができる。また、入力画像データの入力階調が第１の階調以上である場合には、ローパス・フィルタ３３３は、比較的に大きい適用サイズで第１のローパス・フィルタ処理を行う。その結果、ローパス・フィルタ３３３による第１のローパス・フィルタ処理の効果が活かされ、視差による表示不良の低減を図ることが可能となる。その結果として、視差による表示不良の低減と、コントラストの向上と、の両立を図ることが可能となるのである。
【００６６】
なお、入力階調が第１の階調未満である場合において、ローパス・フィルタ３３３が、比較的に小さい適用サイズで第１のローパス・フィルタ処理を行うことは、言い換えれば、第１のローパス・フィルタ処理の度合いが小さい状態となっているともいえる。また、入力階調が第１の階調以上である場合において、ローパス・フィルタ３３３が、比較的に大きい適用サイズで第１のローパス・フィルタ処理を行うことは、言い換えれば、第１のローパス・フィルタ処理の度合いが大きい状態となっているともいえる。
【００６７】
なお、図１５に示した第１の階調の値としては、図９に示したガンマ値２．２の特性から、第２の表示パネル２００のガンマ特性が外れる変曲点Ｐにおける入力階調を変曲点階調とし、当該変曲点階調の０．５倍から１．５倍までの範囲に設定することが望ましい。
【００６８】
なお、図１６に示すように、ローパス・フィルタ３３３の前段に、入力画像データに対して、上述した最大値フィルタ処理を行う最大値フィルタ３４０を設ける構成とすれば、輝度のピーク値を維持することができるという効果を得ることができる。なお、最大値フィルタ３４０が、フィルタサイズ決定回路３３９の出力値に応じて、最大値フィルタ処理の適用サイズを変化させる構成とすることが望ましい。例えば、フィルタサイズ決定回路３３９が出力する第１のローパス・フィルタ処理の適用サイズに関する出力値が大きい場合には、これに応じて最大値フィルタ３４０が、最大値フィルタ処理の適用サイズを大きくし、フィルタサイズ決定回路３３９が出力する第１のローパス・フィルタ処理の適用サイズに関する出力値が小さい場合には、これに応じて最大値フィルタ３４０が、最大値フィルタ処理の適用サイズを小さくする構成とすることが望ましい。
【００６９】
なお、図１７に示すように、第１のガンマ処理部３１１を補正回路３１２の後段に配置し、第２のガンマ処理部３２１を第１のフィルタ回路３３１の後段に配置する構成としてもよい。その場合、補正回路３１２は、入力画像データＤａｔａに対して、第１のフィルタ回路３３１から出力された画像データを除算して、補正係数を算出し、当該補正係数を、入力画像データＤａｔａに対して乗算する構成とすればよい。
【００７０】
以上、本開示の実施形態について説明したが、本発明は上記実施形態に限定されるものではなく、本発明の趣旨を逸脱しない範囲内で上記実施形態から当業者が適宜変更した形態も本発明の技術的範囲に含まれることは言うまでもない。
【符号の説明】
【００７１】
１０  表示装置、１００  第１の表示パネル、１０１  ＴＦＴ基板、１０２  ＣＦ基板、１０２ａ  着色部、１０２ｂ  ブラックマトリクス、１０３  液晶層、１０４  偏光板、１０５  偏光板、１１０  第１の画像表示領域、１１１  データ線、１１２  ゲート線、１１３  ＴＦＴ、１１４  サブ画素、１１４Ｒ  赤色サブ画素、１１４Ｇ  緑色サブ画素、１１４Ｂ  青色サブ画素、１１５  画素電極、１２４  画素、１２０  第１のソースドライバ、１３０  第１のゲートドライバ、１４０  第１のタイミングコントローラ、２００  第２の表示パネル、２０１  ＴＦＴ基板、２０２  ＣＦ基板、２０２ａ  領域、２０２ｂ  ブラックマトリクス、２０３  液晶層、２０４  偏光板、２０５  偏光板、２１０  第２の画像表示領域、２１１  データ線、２１２  ゲート線、２１３  ＴＦＴ、２１４  画素、２１５  画素電極、２２０  第２のソースドライバ、２３０  第２のゲートドライバ、２４０  第２のタイミングコントローラ、３００  画像処理部、３０１  拡散シート、３１１  第１のガンマ処理部、３１２  補正回路、３２１  第２のガンマ処理部、３３１  第１のフィルタ回路、３３２  縮小回路、３３３  ローパス・フィルタ、３３４  拡大回路、３３５  ゲイン決定回路、３３６  非線形ゲイン回路、３３７  比率決定回路、３３８  ブレンド回路、３３９  フィルタサイズ決定回路、３４０  最大値フィルタ、３４１  第２のフィルタ回路、４００  バックライト、Ｄａｔａ  入力画像データ、ＤＡＴ１  第１の画像データ、ＤＡ１  第１の画像データ、ＣＳ１  第１制御信号、ＤＳＰ１  データスタートパルス、ＤＣＫ１  データクロック、ＧＳＰ１  ゲートスタートパルス、ＧＣＫ１  ゲートクロック、ＤＡＴ２  第２の画像データ、ＤＡ２  第２の画像データ、ＣＳ２  第２制御信号、ＤＳＰ２  データスタートパルス、ＤＣＫ２  データクロック、ＧＳＰ２  ゲートスタートパルス、ＧＣＫ２  ゲートクロック、Ｐ  変曲点。
【図１】
2020086380.tif 000003
【図２】
2020086380.tif 000004
【図３】
2020086380.tif 000005
【図４】
2020086380.tif 000006
【図５】
2020086380.tif 000007
【図６】
2020086380.tif 000008
【図７】
2020086380.tif 000009
【図８】
2020086380.tif 000010
【図９】
2020086380.tif 000011
【図１０】
2020086380.tif 000012
【図１１】
2020086380.tif 000013
【図１２】
2020086380.tif 000014
【図１３】
2020086380.tif 000015
【図１４】
2020086380.tif 000016
【図１５】
2020086380.tif 000017
【図１６】
2020086380.tif 000018
【図１７】
2020086380.tif 000019